【手続補正書】
【提出日】平成17年3月22日(2005.3.22)
【手続補正１】
【補正対象書類名】特許請求の範囲
【補正対象項目名】全文
【補正方法】変更
【補正の内容】
【特許請求の範囲】
【請求項１】
（ａ）可搬記憶装置上に取付けられた生物測定学的センサによって第１の生物測定学的マーカをユーザから獲得し、可搬記憶装置はデータの少なくとも８ＭＢの全記憶容量を有し、ユーザの指の連続した部分がセンサと転がし接触されるとき、センサがユーザの指の部分を連続して感知するように回転可能であるセンサ素子を有し、
（ｂ）登録された生物測定学的マーカを可搬記憶装置の内部記憶から検索し、この登録された生物測定学的マーカは登録プロセス中にそこに記憶されたものであり、
（ｃ）第１の生物測定学的マーカを登録された生物測定学的マーカと比較し、
（ｄ）前記ステップ（ｃ）において一致が識別された場合に、認証の成功を通知し、
（ｅ）認証成功の通知を受信したときに可搬記憶装置の内部記憶にアクセスを提供し、その後、可搬記憶装置の内部記憶とコントローラを有するホストとの間でデータを交換し、データの交換は可搬記憶装置と一体の雄コネクタを通過する、
ステップを含んでいる可搬記憶装置を使用して行われる生物測定学ベースの認証方法。
【請求項２】
登録された生物測定学的マーカは指紋である請求項１記載の生物測定学ベースの認証方法。
【請求項３】
登録された生物測定学的マーカは暗号化されたフォーマットで記憶されている請求項１または２記載の生物測定学ベースの認証方法。
【請求項４】
前記ステップ（ｄ）において、不揮発性メモリへのユーザアクセスが許可される請求項１乃至３のいずれか１項記載の生物測定学ベースの認証方法。
【請求項５】
前記ステップ（ｃ）において一致が識別されなかった場合、不揮発性メモリへのユーザアクセスを拒否するステップをさらに含んでいる請求項１乃至４のいずれか１項記載の生物測定学ベースの認証方法。
【請求項６】
前記ステップ（ｃ）において一致が識別されなかった場合、ユーザに認証バイパス手順を行わせるステップをさらに含んでいる請求項１乃至５のいずれか１項記載の生物測定学ベースの認証方法。
【請求項７】
マイクロプロセッサと、
データの少なくとも８ＭＢの記憶容量を有し、マイクロプロセッサに結合された不揮発性メモリと、
マイクロプロセッサに結合され、これによって制御される生物測定学ベースの認証モジュールであって、生物測定学ベースの認証モジュールがユーザのアイデンティティを認証する場合に、ユーザに対して不揮発性メモリへのアクセスが許可され、そうでないユーザに対して不揮発性メモリへのアクセスが拒否される認証モジュールと、
コントローラを有するホストに直接可搬記憶装置を接続し、ホストとユーザのアイデンティティの認証に従う不揮発性メモリとの間でデータを交換する一体の雄コネクタとを備え、
センサ素子が、ユーザが指を転がしてその連続した部分をセンサと接触させるように感知動作中回転可能であり、それによってユーザの指紋の連続した部分を感知する可搬記憶装置。
【請求項８】
生物測定学ベースの認証モジュールは指紋認証モジュールである請求項７記載の可搬記憶装置。
【請求項９】
指紋認証モジュールは指紋センサ素子を備えている請求項８記載の可搬記憶装置。
【請求項１０】
指紋認証モジュールは、センサ素子をカバーする第１の位置とセンサ素子を露出させる第２の位置との間で移動するように取付けられたカバーを備えている請求項９記載の可搬記憶装置。
【請求項１１】
雄コネクタがＵＳＢコントローラを有するホストに直接可搬記憶装置を接続するためのユニバーサルシリアルバス（ＵＳＢ）Ａ型雄コネクタである請求項７乃至１０のいずれか１項記載の可搬記憶装置。
【請求項１２】
生物測定学ベースの認証モジュールは、可搬記憶装置の一表面に設置された生物測定学的センサを備えている請求項７乃至１１のいずれか１項記載の可搬記憶装置。
【請求項１３】
不揮発性メモリはフラッシュメモリを含んでいる請求項７乃至１２のいずれか１項記載の可搬記憶装置。
【請求項１４】
マイクロプロセッサは、生物測定学ベースの認証モジュールによる認証の失敗が決定されたとき認証のバイパスメカニズムが行われるように構成されている請求項７乃至１３のいずれか１項記載の可搬記憶装置。
【請求項１５】
バスと、
このバスに結合されたマイクロプロセッサと、
データの少なくとも８ＭＢの記憶容量を有し、このバスに結合された不揮発性メモリと、
このバスに結合された生物測定学ベースの認証モジュールであって、この生物測定学ベースの認証モジュールはマイクロプロセッサの制御下において（１）第１の生物測定学的マーカを獲得し、（２）その第１の生物測定学的マーカを不揮発性メモリ中に記憶し、（３）第２の生物測定学的マーカを獲得し、（４）この第２の生物測定学的マーカが第１の生物測定学的マーカと対照して認証されることが可能か否かを決定するように構成されている認証モジュールと、
コントローラを有するホストに直接可搬記憶装置を接続し、第２の生物測定学的マーカが第１の生物測定学的マーカと対照して認証されることができるとの決定がなされたとき、ホストと不揮発性メモリとの間でデータを交換するバスに接続された一体の雄コネクタとを備え、
生物測定学ベースの認証モジュールは可搬記憶装置と構造的に統合されて単一構造にされており、可搬記憶装置の一表面上に配置された生物測定学的センサを備え、
センサは指紋センサであり、ユーザが指を転がしてその連続した部分をセンサと接触させるように感知動作中回転可能であり、それによってユーザの指紋の連続した部分を感知する素子を含んでいる可搬記憶装置。
【請求項１６】
生物測定学ベースの認証モジュールは指紋モジュールである請求項１５記載の可搬記憶装置。
【請求項１７】
さらに、バスに接続されたユニバーサルシリアルバス（ＵＳＢ）装置コントローラを備え、一体の雄コネクタがバスに接続されたＡ型雄ＵＳＢコネクタであり、それにより可搬記憶装置がＵＳＢコネクタを介してホストプラットフォームと通信することができるようにした請求項１５または１６に記載の可搬記憶装置。
【請求項１８】
生物測定学ベースの認証モジュールは、素子をカバーする第１の位置と素子を露出させる第２の位置との間で移動するように取付けられたカバーを備えている請求項１５乃至１７のいずれか１項記載の可搬記憶装置。
【請求項１９】
不揮発性メモリはフラッシュメモリを含んでいる請求項１５乃至１８のいずれか１項記載の可搬記憶装置。
【請求項２０】
生物測定学ベースの認証モジュールはさらに、第１の生物測定学的マーカを不揮発性メモリ中に記憶する前にこの第１の生物測定学的マーカを暗号化するように構成されている請求項１５乃至１９のいずれか１項記載の可搬記憶装置。
【請求項２１】
マイクロプロセッサは、不揮発性メモリ中に生物測定学的マーカが１つも記憶されていない場合に生物測定学ベースの認証モジュールに命令して第１の生物測定学的マーカの獲得および記憶を行わせるように構成されている請求項１５乃至２０のいずれか１項記載の可搬記憶装置。
【請求項２２】
マイクロプロセッサは、生物測定学ベースの認証モジュールによる認証の成功が決定されたときに不揮発性メモリへのアクセスを可能にするように構成されている請求項１５乃至２１のいずれか１項記載の可搬記憶装置。
【請求項２３】
マイクロプロセッサは、生物測定学ベースの認証モジュールによる認証の失敗が決定されたときに不揮発性メモリへのアクセスを不可能にするように構成されている請求項１５乃至２２のいずれか１項記載の可搬記憶装置。
【請求項２４】
マイクロプロセッサは、生物測定学ベースの認証モジュールによる認証の失敗が決定されたときに認証のバイパスメカニズムが行われるように構成されている請求項１５乃至２３のいずれか１項記載の可搬記憶装置。